(57)【要約】    【課題】  製造が簡単で、脱泡効果に優れ、型枠の損傷を抑制し、且つ、消耗が極力少なく、長時間の使用に耐えるスページング用棒状体を低価格で提供すること。    【解決手段】  軟鋼で造られた鉄線１４を金属棒１１に螺旋状に巻き付けて固定し、先端にガイド部１２を取り付けた棒状体よりなり、且つ、上記ガイド部１２の最大径をRｇ、上記棒状体２の回転時における上記螺旋状の鉄線１４の回転により作る直円柱の直径をRiとしたとき、Rｇ≦Riの関係が成立するスページング用棒状体とする。【選択図】  図２
0003128673.tif 000002
【実用新案登録請求の範囲】
【請求項１】
コンクリートの型枠成形法における型枠内面の脱泡に適用するスページング用棒状体において、上記スページング用棒状体が、軟鋼で造られた鉄線を金属棒に螺旋状に巻き付けて固定し、先端にガイド部を取り付けた棒状体よりなり、且つ、上記ガイド部の最大径をRｇ、上記棒状体の回転時における上記螺旋状の鉄線の回転により作る直円柱の直径をRiとしたとき、Rｇ≦Riの関係が成立することを特徴とするスページング用棒状体。
【請求項２】
コンクリートの型枠成形法における型枠内面の脱泡に適用するスページング用棒状体において、上記スページング用棒状体が、軟鋼よりなる金属板又は金属角棒を螺旋状に成形してなる螺旋部の先端にガイド部を取り付けた棒状体よりなり、且つ、上記ガイド部の最大径をRg、上記棒状体の回転時における上記螺旋部の回転により作る直円柱の直径をRsとしたとき、Rｇ≦Rsの関係が成立することを特徴とするスページング用棒状体。
【考案の詳細な説明】
【技術分野】
【０００１】
本考案は、コンクリート打ち込み作業、特に、型枠を使用するコンクリート製品の製造や、建設現場で型枠を用いて成形するコンクリート構造物等の製造に際して、表面脱泡のために使用する用具に関するものである。
【背景技術】
【０００２】
従来より、コンクリートの脱泡、締め固めには、コンクリート中に振動体を挿入する方法で用いる内部振動機や、型枠の外側から振動を加える型枠振動機のような振動機を用いる方法が行なわれてきた。しかし、コンクリート構造体の形状、大きさ等の制約から上記の振動機によっては表面脱泡が効果的に遂行できない場合がある。そのような通常の振動締め固め作業では除けない表面気泡も有効に除去することができる方法として、スページングと呼ばれる、型枠内面に沿ってコンクリートを鋤で揺り動かすような方法が広く行なわれてきた。
【０００３】
型枠内にフレッシュコンクリートを打ち込むと、フレッシュコンクリートは型枠内面に付着するが、その際に多数の気泡が型枠内面に残存する。また、打ち込んだフレッシュコンクリートを振動させると、フレッシュコンクリートは流動化し、それと共に内部の比較的大きな気泡は上方に移動して消滅するが、一部は型枠壁に移動して型枠内面の気泡量をさらに増大させることもある。型枠面に付着した気泡は動き難くこれを完全に除くのは容易でない。特に、上方が狭まった形状の構造体の場合には、コンクリートが接する型枠面が内側に傾斜しているため、気泡除去は極めて困難である。型枠面などに取り残された気泡はコンクリート表面付近に欠陥を形成して構造体の強度を低下させると共に、著しく美観を損なうことになる。スページングによると、上記のような型枠内面に集まった、除去し難い気泡も効率良く取り除くことができる。
【０００４】
スページング方法として、当初は突き板などを用いた手作業が多かったが、近年は機械化が進み、螺旋形構造を持った棒状のスページング用棒状体に回転運動を与えてコンクリートを揺り動かす装置が開発され、その有効性が認められてきた（特許文献１および特許文献２）。
【特許文献１】特開昭63-156165号公報
【特許文献２】特開2000-27440号公報
【考案の開示】
【考案が解決しようとする課題】
【０００５】
型枠に充填されたまだ固まらない状態のコンクリートは、骨材が下方（底部）に沈む傾向があるため、上記螺旋形構造を持った棒状のスページング用棒状体は、先掘り抵抗を受けるコンクリート挿入開始から、挿入完了後も、特に、その先端部が硬い骨材との混合、摩耗が起こる。
【０００６】
特許文献１及び２に記載の従来のスページング用棒状体は、手元から先端部まで均一形状、均一材質であったため、金属棒に巻きつけた螺旋状の鉄線の下部が、中間部や上部に比べて早期に摩耗し、商品としての寿命を短くしていた。スページング用棒状体の寿命を延ばす目的で、材質を硬めにすると、通常、軟鋼でできている型枠の内面を傷つける恐れがあった。また、このようなスページング装置を用いて、型枠壁面の気泡を効率良く除去するためには、スページング用棒状体を回転させながら型枠に沿うように近接させて使用しなければならず、スページング用棒状体が型枠に衝突して、型枠を傷つける恐れがあった。
【０００７】
型枠の損傷を抑制し、且つ、スページング用棒状体の消耗を極力少なくして、長時間の使用に耐えるものとすることは、工事価格の低減の観点から強く要望されている。
【０００８】
本考案の目的は、製造が簡単で、脱泡効果に優れ、型枠の損傷を抑制し、且つ、消耗が極力少なく、長時間の使用に耐えるスページング用棒状体を低価格で提供することにある。
【課題を解決するための手段】
【０００９】
本考案の目的を達成するために、本考案は実用新案登録請求の範囲に記載のような構成とするものである。
【００１０】
すなわち、本考案のスページング用棒状体は、コンクリートの型枠成形法における型枠内面の脱泡に適用するスページング用棒状体において、上記スページング用棒状体が、軟鋼で造られた鉄線を金属棒に螺旋状に巻き付けて固定し、先端にガイド部を取り付けた棒状体よりなり、且つ、上記ガイド部の最大径をRｇ、上記棒状体の回転時における上記螺旋状の鉄線の回転により作る直円柱の直径をRiとしたとき、Rｇ≦Riの関係が成立する。
【００１１】
また、本考案のスページング用棒状体は、コンクリートの型枠成形法における型枠内面の脱泡に適用するスページング用棒状体において、上記スページング用棒状体が、軟鋼よりなる金属板又は金属角棒を螺旋状に成形してなる螺旋部の先端にガイド部を取り付けた棒状体よりなり、且つ、上記ガイド部の最大径をRg、上記棒状体の回転時における上記螺旋部の回転により作る直円柱の直径をRsとしたとき、Rｇ≦Rsの関係が成立する。
【考案の効果】
【００１２】
本考案のスページング用棒状体は、コンクリートの型枠成形法における型枠内面の脱泡に適用するスページング用棒状体において、上記スページング用棒状体が、軟鋼で造られた鉄線を金属棒に螺旋状に巻き付けて固定し、先端にガイド部を取り付けた棒状体よりなり、且つ、上記ガイド部の最大径をRｇ、上記棒状体の回転時における上記螺旋状の鉄線の回転により作る直円柱の直径をRiとしたとき、Rｇ≦Riの関係が成立するから、製造が簡単で、脱泡効果に優れ、型枠の損傷を抑制し、且つ、消耗が極力少なく、長時間の使用に耐え得る。
【００１３】
また、本考案のスページング用棒状体は、コンクリートの型枠成形法における型枠内面の脱泡に適用するスページング用棒状体において、上記スページング用棒状体が、軟鋼よりなる金属板又は金属角棒を螺旋状に成形してなる螺旋部の先端にガイド部を取り付けた棒状体よりなり、且つ、上記ガイド部の最大径をRg、上記棒状体の回転時における上記螺旋部の回転により作る直円柱の直径をRsとしたとき、Rｇ≦Rsの関係が成立するから、製造が簡単で、脱泡効果に優れ、型枠の損傷を抑制し、且つ、消耗が極力少なく、長時間の使用に耐え得る。
【考案を実施するための最良の形態】
【００１４】
コンクリート脱泡に使用する本考案のスページング用棒状体の一つは、適当な撓性を持つ金属棒（例えば、冷間引き抜きのステンレス製丸棒あるいは角棒）に軟鋼でつくられた鉄線を螺旋状に巻き付け、また、その先端にガイド部を取り付けた螺旋形構造を持った棒状体よりなり、且つ、上記ガイド部の最大径をＲｇ、上記棒状体の回転時における上記螺旋状の鉄線の回転により作る直円柱の直径をRiとしたとき、Rｇ≦Riの関係が成立するものである。
【００１５】
また、本考案のスページング用棒状体の他の一つは、軟鋼よりなる金属板又は金属角棒を捩って螺旋状に成形し、その先端にガイド部を取り付けた、螺旋形構造を持った棒状体よりなり、且つ、上記ガイド部の最大径をRg、上記棒状体の回転時における上記螺旋部の回転により作る直円柱の直径をRsとしたとき、Rｇ≦Rsの関係が成立するものである。
【００１６】
上記構造のスページング用棒状体をフレッシュコンクリート中に挿入し、型枠壁面に沿って回転させると、コンクリートは揺れ動いて流動化し、その中に含まれる気泡は、螺旋構造体の回転に伴なって、型枠に近接したものも含めて微細化されるか、上方に運ばれて効率良く除去される。
【００１７】
型枠内に投入されたフレッシュコンクリートは、それを動かす力が働かなくなると固く締まる性質がある。また、コンクリートは投入時に骨材とセメントペーストが多少とも分離して、下部ほど骨材密度が高まることがある。スページング用棒状体を回転させながら上記のようなフレッシュコンクリート中に挿入すると、その先端に取り付けられているガイド部は硬い骨材が密に分布しているコンクリート中を螺旋構造部に路を開くように回転しながら突き進むことになる。したがって、ガイド部が最も摩耗による損傷を受けやすいので、それ自体の摩耗による消耗を少なくするためには、ある程度硬い材質であることが望ましい。
【００１８】
しかし、反面、ガイド部はスページング用棒状体の先端に固定されているため、型枠に衝突してこれを傷つける可能性も大きいので、それ自体の摩耗損傷があっても、余り硬いものとすることは好ましくない。それらの点も考慮して、本考案では、先端に螺旋状の鉄線と同程度か、あるいは、若干高硬度の軟鋼製のガイド部を取り付けた。
【００１９】
すなわち、本考案のように、ガイド部を適当な硬さのもので構成し、それと同程度か、あるいは、若干低硬度の金属で螺旋部を作製し、その螺旋部の回転により形成される直円柱の半径をガイド部の最大回転半径よりも大きいか、少なくとも等しくしておくと、このようにして作られたスページング用棒状体を型枠に沿わせて接触するような状態で使用しても、比較的軟らかく形状的にも角張った所のない螺旋部が型枠に接触しやすいので、型枠を傷つける可能性が小さい。
【００２０】
また、ガイド部の長さは、１〜１０ｃｍが好ましい。適当な長さを有するガイド部は、螺旋形構造を持たないため、撓性を持たせたスページング用棒状体の本体を型枠内面に密着するように押しつけた際や、横方向に移動させる場合に、ガイド機能を果たすことができる。ガイド部の長さが１０ｃｍを超すと、棒状体先端部のスページング機能が低下し、１ｃｍ未満の場合は、「摩耗シロ」が十分でなく、その結果、商品寿命が短くなる。
【００２１】
さらに、本考案のスページング用棒状体は、先端に簡単な構造のガイド部を取り付けた金属製丸棒や角棒の周りに軟らかい鉄線を螺旋状に巻き付け、金属棒と螺旋状鉄線を２、３ヵ所で固定したものや、簡単な構造のガイド部を先端に取り付けた軟らかい金属板や角棒を捩って螺旋状に成形したというような簡単なものであるから、製造が簡単で、脱泡効果が極めて優れているにもかかわらず、低価格で提供できる利点を有している。
【００２２】
本考案になるコンクリート脱泡用のスページング用棒状体の一つを装着したコンクリートスページング装置の概観を図１に示した。図において、符号１はスページング用棒状体に回転運動を与える駆動部、符号２はスページング用棒状体を示す。駆動部１は特別に精密なものである必要はなく、適当な速度でスページング用棒状体に回転運動を与えることができるものであればよい。例えば、ある程度高負荷状態でも低速回転が可能な市販の電動ハンドドリルを応用することも可能である。
【００２３】
スページング用棒状体２のさらに詳しい形状を図２および図３に示した。
【００２４】
図２において、符号１１は金属棒、符号１２はガイド部、符号１４は金属棒１１に巻きつけられた螺旋状の鉄線、符号１７はスページング用棒状体２を駆動部１に固定するための切欠き部を示す。また、符号１９、２０、２１は螺旋状の鉄線１４を金属棒１１に固定している熔接部を示している。
【００２５】
また、図３において、符号１３はガイド部、符号１５は金属板を捩って成形した螺旋部、符号１６は取り付け部、符号１８は切欠き部を示している。
【００２６】
金属棒１１に対する螺旋状の鉄線１４の巻き方は右巻きであっても、左巻きであっても、どちらでもよい。気泡が表面に運ばれるように、鉄線の巻き方に応じて駆動部を左右どちらかに回転させればよい。螺旋部１５の捻り方についても同じことが云える。
【００２７】
記号Rgはガイド部１２又は１３の最大径、記号Riは螺旋状の鉄線１４の回転により作る直円柱の直径、記号Rsは螺旋部の回転により作る直円柱の直径である。RgとRi、RgとRsの間には、Rg≦Ri、Rg≦Rsの関係がある。
【実施例】
【００２８】
〔実施例１〕
直径９ｍｍ、長さ６５０ｍｍの冷間仕上げステンレス棒の先端にネジを切り、最大外径１９．５ｍｍ、硬さＨＶ(１０)１７５、長さ４０ｍｍの六角長ナットを嵌めてガイド部とした。上記ステンレス棒の周りに、太さ６ｍｍ、硬さＨＶ(１０)１１０の軟鋼線材よりなるなまし鉄線を螺旋状に巻きつけ、得られた螺旋の両端と中間の３ヵ所をステンレス棒に熔接した。螺旋が回転により作る直円柱の外径は２１ｍｍとした。
【００２９】
上記のようにして得られたスページング用棒状体を市販の電動ハンドドリルを改造した回転駆動部に取り付けてスページング装置を製造した。
上記のスページング装置を下水道用マンホール側塊（斜壁型）の製造に適用した。側塊の製造にはスランプ１２ｃｍのコンクリートを使用した。
【００３０】
斜壁型側塊の製造には上部が狭まった型枠を使用するため、型枠近傍の気泡除去が重要である。本実施例では、型枠にフレッシュコンクリートを投入した後、上記のスページング装置で脱泡を行ったが、この際スページング用棒状体を型枠面に平行にして押し付けるようにして十分回転させた。脱泡処理後、引き続き蒸気養生を行ってコンクリートを硬化させ、型枠を外し、得られた製品の側面と型枠内面を目視により調べた。製品側面には気泡の残留による欠陥は認められず、また、型枠の内面にはスページング用棒状体の衝突による傷は全く生じていなかった。
【産業上の利用可能性】
【００３１】
本考案になるスページング用棒状体を適用したスページング装置は、構造が簡単なため使用法も簡単で、且つ、安価であり、しかも使用効果が優れているため、型枠の外側から振動を与える型枠振動機によっては効果的に脱泡を行うことが困難なコンクリート製品の製造や、一般住宅のコンクリート製基礎など各種コンクリート構造物の製造で広く利用される可能性がある。
【図面の簡単な説明】
【００３２】
【図１】本考案のスページング用棒状体の一つを装着したコンクリート脱泡用スページング装置の概観図である。
【図２】本考案のスページング用棒状体の一つを示す概観図である。
【図３】本考案のスページング用棒状体の他の一つを示す概観図である。
【符号の説明】
【００３３】
１：駆動部、２：スページング用棒状体、１１：金属棒、１２,１３：ガイド部、１４：螺旋状の鉄線、１５：螺旋部、１６：取り付け部、１７,１８：切欠き部、１９〜２１：熔接部、Rg：ガイド部最大径、Ri：螺旋状の鉄線が作る直円柱の直径、Rs:螺旋部の作る直円柱の直径
【図１】
0003128673.tif 000003
【図２】
0003128673.tif 000004
【図３】
0003128673.tif 000005